(57)【要約】 【課題】  居住者が自分の好みに合ったディスプレイを楽しむことができる飾り窓付き外壁構造、及びそれに使用する飾り窓用の建築用ブロックを提供する。  【解決手段】  透光性部材からなる正面部と、該正面部に連続する上下左右の側面部と、該側面部に連続し所定大の開口部を有する背面部とからなる建築ブロック１０を、前記正面部が外側に、前記背面部が内側に現れるように、建築物の外壁、門塀又は門柱を構成する外壁部材２に埋め込む。【選択図】  図１
2006214215.tif 000002
【特許請求の範囲】
【請求項１】
透光性部材からなる正面部と、該正面部に連続する側面部と、該側面部に連続し所定大の開口部を有する背面部とからなる建築ブロックを、
前記正面部が外側に、前記背面部が内側に表れるように、建築物の外壁、門塀又は門柱を構成する外壁部材に埋め込んだことを特徴とする飾り窓付き外壁構造。  
【請求項２】
透光性部材からなる正面部と、該正面部に連続する側面部と、該側面部に連続し開口部を有する背面部とからなり、
建築物の外壁、門塀又は門柱を構成する外壁部材に埋め込まれて飾り窓を構成する飾り窓用の建築ブロック。
【請求項３】
前記側面部は、幅方向中央部に向けて窪んでいることを特徴とする請求項２に記載の飾り窓用の建築ブロック。
【請求項４】
前記飾り窓用の建築ブロックは、縦方向寸法及び横方向寸法が外壁部材を構成する建築ブロックを縦及び横方向に整数倍又は整数等分した大きさであることを特徴とする請求項２又は請求項３に記載の飾り窓用の建築ブロック。
【発明の詳細な説明】
【技術分野】
【０００１】
本発明は、建物の外壁、門塀又は門柱などの外壁構造に関し、特に、居住者が自分の好みに合ったディスプレイを施すことができる飾り窓付き外壁構造、及びそれに使用する飾り窓用の建築用ブロックに関する。
【背景技術】
【０００２】
門塀、門柱、建物の外壁などは、そこに居住する者の顔となるので、自分の好みに応じた装飾を施したいと思う者が多い。
このため、例えば、特許文献１に示すように、透かし彫り模様の装飾部を有する金属板を嵌め込んだブロックによって塀や壁を構築する技術、特許文献２に示すように、ガラスなどの光透過性物を嵌め込んだブロックによって壁体を構築する技術等が提案されている。
【特許文献１】特開２００３−２１３８３７
【特許文献２】特開２００１−１５２６０１
【発明の開示】
【発明が解決しようとする課題】
【０００３】
しかしながら、前記特許文献の技術では、注文建築の場合を除き、必ずしも居住者の好みに応じた外壁が構築できるとはいえなかった。また、季節の変化や居住者の好みに合わせて外壁のディスプレイを変えることが難しかった。
また、門塀などに風窓を設け、そこに植物や人形などを置き、装飾性の高い外壁を演出するという方法もあるが、強風によって飾り物が落下することがあった。
そこで、本発明は、居住者が自分の好みに合ったディスプレイを楽しむことができる飾り窓付き外壁構造、及びそれに使用する飾り窓用の建築用ブロックを提供することを目的とする。
【課題を解決するための手段】
【０００４】
上記課題を解決するために、本発明に係る飾り窓付き外壁構造は、透光性部材からなる正面部と、該正面部に連続する側面部と、該側面部に連続し所定大の開口部を有する背面部とからなる建築ブロックを、前記正面部が外側に、前記背面部が内側に表れるように、建築物の外壁、門塀又は門柱を構成する外壁部材に埋め込んだことを特徴とするものである。  
【０００５】
本発明に係る飾り窓用の建築ブロックは、透光性部材からなる正面部と、該正面部に連続する側面部と、該側面部に連続し開口部を有する背面部とからなり、建築物の外壁、門塀又は門柱を構成する外壁部材に埋め込まれて飾り窓を構成するものである。
また、本発明に係る飾り窓用の建築ブロックにおいて、前記側面部は、幅方向中央部に向けて窪んでいてもよい。
さらに、前記飾り窓用の建築ブロックは、縦方向寸法及び横方向寸法が外壁部材を構成する建築ブロックを縦及び横方向に整数倍又は整数等分した大きさであることとしてもよい。
【発明の効果】
【０００６】
請求項１に係る発明によれば、建築ブロックの背面部の開口部を介して、人形などの飾り物を建築ブロックの下側の側面部に配置することで、透光性部材からなる正面部を介して、飾り物が外壁の外側から見えるようになる。
これによって、居住者は、自分の好みに合ったディスプレイを、外壁に施すことができる。
【０００７】
請求項２に係る発明によれば、建築ブロックの背面部の開口部を介して、人形などの飾り物を下側の側面部に配置することで、透光性部材からなる正面部を介して、飾り物が外側から見えるような飾り窓を構成することができる。
これによって、居住者の好みに合ったディスプレイを施すことができる飾り窓付きの外壁を構築することができる。
【０００８】
請求項３の発明によれば、建築ブロックを積み上げて外壁を構築する際に、窪みの部分に目地材を十分に介在させることができるので、外壁部材との接合性を高め、強度を高めることができる。
請求項４に係る発明によれば、建築ブロックを積み上げて外壁を構築する際、外壁部材を構築するのと同様に施工することができ、作業性が良好となる。
【発明を実施するための最良の形態】
【０００９】
以下、本発明の実施形態を図面に基づいて説明する。
【実施例１】
【００１０】
図１は、本発明による飾り窓付き外壁構造の第１実施形態を示す斜視図である。
この飾り窓付き外壁構造１は、外壁部材２と、本発明による飾り窓用の建築ブロック１０とを含んで構成される。
外壁部材２は、例えば、縦１９ｃｍ、横３９ｃｍ、幅１５ｃｍのコンクリートブロックを横方向に並べ、縦方向に積み上げて壁体を構成したものであり、コンクリートブロックは、モルタルなどの目地材によって相互に接合され固定されている。
【００１１】
外壁部材２には、図２に示す建築ブロックが埋め込まれている。
この建築ブロックは、本発明による飾り窓用の建築ブロック１０の第１実施形態であり、図３に示す正面部１１と、図４に示す側面部１２ａ,１２ｂ,１３ｃ,１４ｄ,と、図５に示す背面部１３とからなる有底無蓋の中空体である。
【００１２】
飾り窓用の建築ブロック１０の正面部１１は、透明なガラスによって構成され、正面視で正方形状を成す。
この正面部１１の上縁、下縁、左右の側縁に連続して、上下左右の４つの側面部１２ａ，１２ｂ，１２ｃ，１２ｄが形成されている。
【００１３】
飾り窓用の建築ブロック１０の側面部１２は、セメントや樹脂等の材料からなり、中空体の外部は、上下左右の全ての側面部１２a,１２ｂ, １２ｃ,１２ｄにおいて、幅方向中央部に向けて窪み１４を有している。
この窪み１４は、ブロックを接合するための目地材を十分に介在させることができるようにするためのものである。
中空体の内部は、図６に示すように、下側の側面部１２ｂにおいて、正面部側から背面部側に向けて若干低くなるよう、水勾配１５がつけられている。
この水勾配１５は、雨水等が中空体の内部に溜まらないようにするためのものである。
上下左右の側面部１２ａ，１２ｂ，１２ｃ，１２ｄは、背面部１３へと連続している。
【００１４】
飾り窓用の建築ブロック１０の背面部１３は、前記正面部１１と同一の正方形状を成し、上下左右の各縁部が正面部１１の相対する縁部と平行になるように、対向して配置されている。
この背面部１３は、図５及び図６に示すように、幅１ｃｍ程度の周縁を残し、略全面に亘る開口部１６となっている。この開口部１６を介し、中空状の建築ブロックの下側の側面部１２ｂに人形などの飾り物を置くことができる。
【００１５】
このように、飾り窓用の建築ブロック１０の背面部の開口部を介して、季節に応じた飾り物、住居者の好みに応じた飾り物を適宜飾ることができるので、外壁に表情を持たせることができる。
また、飾り窓用の建築ブロック１０の正面部１１のガラス面によって風が遮られるので、強風によって飾り物が落下するといった事態を防ぐことができる。
【００１６】
この飾り窓用の建築ブロック１０は、外壁部材２を構成するコンクリートブロックに積み重ねる際の作業性を考慮し、縦方向寸法がコンクリートブロックと略同一で、横方向寸法がコンクリートブロックを横方向に整数倍又は整数等分した大きさとなるような形状とするのが好ましく、特に、コンクリート製の建築ブロックを横方向半分に切断したサイズ（縦Ｌが１９ｃｍ、横Ｍが１９ｃｍ、幅Ｗが１５ｃｍ）、あるいは、コンクリートブロックと同一サイズ（縦Ｌが１９ｃｍ、横Ｍが３９ｃｍ、幅Ｗが１５ｃｍ）とするのが好ましい。
【００１７】
外壁を構築する際には、図７に示すように、コンクリートブロック３を横方向・縦方向に並べ、モルタル等の目地材１７を介在させて接合するが、飾り窓用の建築ブロック１０を、上記寸法のように、外壁部材２として使用されるコンクリートブロックのサイズに応じた寸法に設計すれば、コンクリートブロック３を積み重ねるのと同様の作業によって、飾り窓用の建築ブロックを積み重ねることができる。
【００１８】
なお、本発明の飾り窓用の建築ブロック１０の正面部１１の材質としては、透光性を有する部材であれば良く、例えば樹脂であってもよい。側面部１２、背面部１３及び外壁部材２の材質も、適宜選択することができる。
また、外壁の構築方法としては、コンクリートブロックを使わず、型枠内にセメントコンクリートを流し込む工法でもよい。その場合は、予め外壁部材に空間部を設けておき、そこに飾り窓用の建築ブロックを嵌め込むようにする。
【実施例２】
【００１９】
図８は、本発明による飾り窓付き外壁構造１’の第２実施形態を示す正面図である。
この外壁構造に用いられる飾り窓用の建築ブロック１０’は、図９に示すように、正面部１１’と背面部１３’が同一の半円形状を成し、相対する縁部が平行になるように対向して配置されている。
飾り窓用の建築ブロックをこのような形状とすることで、装飾性の高い外壁を構築することができる。
【実施例３】
【００２０】
図１０は、本発明による飾り窓付き外壁構造１”の第３実施形態を示す背面図である。この外壁構造１”に用いられる飾り窓用の建築ブロック１０”は、図１１に示すように、ガラス面からなる背面部１３”の下半分に開口部１６”を設けたものである。
背面部の上半分をガラス面とすることによって、建築ブロックとしての強度を高めることができる。
【図面の簡単な説明】
【００２１】
【図１】本発明の第1実施形態に係る飾り窓付き外壁構造を示す斜視図である。
【図２】上記飾り窓付き外壁構造に使用される本発明による飾り窓用の建築ブロックの斜視図である。
【図３】上記飾り窓用の建築ブロックの正面図である。
【図４】上記飾り窓用の建築ブロックの側面図である。
【図５】上記飾り窓用の建築ブロックの背面図である。
【図６】上記飾り窓用の建築ブロックのＡ−Ａ線矢視断面図である。
【図７】上記飾り窓付き外壁構造の構築状態を示す斜視図である。
【図８】本発明の第２実施形態に係る飾り窓付き外壁構造を示す正面図である。
【図９】上記飾り窓付き外壁構造に使用される本発明による飾り窓用の建築ブロックを示し、（ａ）は正面図、（ｂ）は背面図、(ｃ）は平面図、（ｄ）は底面図、（ｅ）は側面図である。
【図１０】本発明の第３実施形態に係る飾り窓付き外壁構造を示す背面図である。
【図１１】上記飾り窓付き外壁構造に使用される本発明による飾り窓用の建築ブロックを示し、（ａ）は正面図、（ｂ）は背面図、(ｃ）は側面図、(ｄ)はＡ−Ａ矢視断面図である。
【符号の説明】
【００２２】
１、１’、１”…飾り窓付き外壁構造
２…外壁部材
１０、１０’、１０”…飾り窓用の建築ブロック
１１、１１’…正面部
１２…側面部
１３、１３’、１３”…背面部
１４…窪み
１５…水勾配
１６、１６”…開口部
【図１】
2006214215.tif 000003
【図２】
2006214215.tif 000004
【図３】
2006214215.tif 000005
【図４】
2006214215.tif 000006
【図５】
2006214215.tif 000007
【図６】
2006214215.tif 000008
【図７】
2006214215.tif 000009
【図８】
2006214215.tif 000010
【図９】
2006214215.tif 000011
【図１０】
2006214215.tif 000012
【図１１】
2006214215.tif 000013